(57)【要約】【課題】簡素で安価な構成により、セルの貫通穴の配置ピッチが異なる複数種の育苗トレーであっても、それぞれの一連のセルから苗を抜き出すことのできる苗抜き具が望まれている。【解決手段】苗抜き具１は、育苗トレーの各セルの底面に形成された貫通穴の離間ピッチで配置される複数のピン体１２を有し、各ピン体１２を各貫通穴からセル内に挿入して苗を突き上げるものであって、筒状に形成された器具本体２と、器具本体２の上面に形成されていて、筒内１０と筒外を連通するとともに筒心方向に延びるガイド溝７と、上端が器具本体２から突出した状態で器具本体２の筒心方向移動自在にガイド溝７に収容されるピン体１２、および該ピン体１２の下部に延設されて器具本体２の筒内１０に収容される基皿部１３から成る突上げ用ピン１１と、器具本体２に配備されて突上げ用ピン１１を筒心方向位置可変に固定する固定手段とを具備している。【選択図】図２
2011036178.tif 000002
【特許請求の範囲】
【請求項１】
育苗用の複数のセルが一連に配列されて成る育苗トレーの、各セルの底面に形成された貫通穴の離間ピッチで配置される複数のピン体を有し、各ピン体を各貫通穴からセル内に挿入して苗を突き上げる苗抜き具であって、
筒状に形成された器具本体と、
器具本体の上面に形成されていて、筒内外を連通するとともに筒心方向に延びるガイド溝と、
上端が器具本体から突出した状態で器具本体の筒心方向移動自在にガイド溝に収容されるピン体、および該ピン体の下部に延設されて器具本体の筒内に収容される基皿部から成る突上げ用ピンと、
器具本体に配備されて突上げ用ピンを筒心方向位置可変に固定する固定手段と
を具備して成ることを特徴とする苗抜き具。
【請求項２】
育苗トレーに碁盤目状に配列されたセルの行数または列数と同数の突上げ用ピンを備えている請求項１に記載の苗抜き具。
【発明の詳細な説明】
【技術分野】
【０００１】
本発明は、育苗用の複数のセルが一連に配列されて成る育苗トレーから苗を取り出す苗抜き具に関するものである。
【背景技術】
【０００２】
現在、育苗用の器具として、図８に示すように、複数のセル２６，２６，２６，・・・を碁盤目状に一体に配列して成る育苗トレー２５が使用されている。各セル２６の底面には水抜き用の貫通穴２７がそれぞれ形成されており、列方向の貫通穴２７，２７間の配置ピッチは例えばＰ１に設定され、行方向の貫通穴２７，２７間の配置ピッチは例えばＰ２に設定されている。この育苗トレー２５では、各セル２６に土を収容して小苗を育てるようになっている。そのうち、各セル２６で或る程度生長した苗は土付きのままで一回り大きなポットや、畑に移し変えられる。その際にピンセットなどを用いてセルから土付き苗を抜き出すと、誤って苗を切ったり、セル内に土が残ったりすることがある。
【０００３】
そこで、図８に示した苗抜き具５１が使用される。苗抜き具５１は、全てのセル２６，２６，２６，・・・に対応した数のピン体５３，５３，５３・・・が列方向の離間ピッチＰ１および行方向の離間ピッチＰ２を育苗トレー２５のセル２６，２６，２６，・・・の配置ピッチと同じくして基台５２上に立設されたものである。この苗抜き具５１を床上などに置き、全てのピン体５３，５３，５３，・・・を育苗トレー２５の２７，２７，２７，・・・から挿入することにより、一度に全ての土付き苗を突き上げてセル２６，２６，２６，・・・から取り出すようになっている。このような構造の苗抜き具は例えば下記の特許文献１〜４などに記載されている。
【先行技術文献】
【特許文献】
【０００４】
【特許文献１】特開平１１−９１０８号公報
【特許文献２】実開平６−１５４４３号公報
【特許文献３】特開平５−３２８８５６号公報
【特許文献４】実開昭５９−１６３６２号公報
【発明の概要】
【発明が解決しようとする課題】
【０００５】
ところで、上記従来の苗抜き具５１は全てのセル２６，２６，２６，・・・と同数のピン体５３，５３，５３，・・・が行方向および列方向の離間ピッチを貫通穴２７，２７，２７，・・・の配置ピッチと同じくして基台５２上に立設されているので、製作に手間がかかり高価なものとなっている。また、異なるメーカーにより、あるいは同じメーカー製であっても育苗トレーの種類により、貫通穴２６，２６間の配置ピッチＰ１またはＰ２が異なっている場合は、貫通穴２６，２６間の配置ピッチと苗抜き具５１のピン体５３，５３間の離間ピッチとが合わない。そのために、１つの苗抜き具では対処できず、各育苗トレー専用の苗抜き具を個々に用意しておく必要があり、保管スペースの問題や購入費用が高くつくなどの問題があった。
【０００６】
本発明は、上記した従来の問題点に鑑みてなされたものであって、簡素で安価な構成により、セルの貫通穴の配置ピッチが異なる複数種の育苗トレーであっても、それぞれの一連のセルから苗を抜き出すことのできる苗抜き具の提供を目的とする。
【課題を解決するための手段】
【０００７】
上記目的を達成するために、本発明に係る苗抜き具は、育苗用の複数のセルが一連に配列されて成る育苗トレーの、各セルの底面に形成された貫通穴の離間ピッチで配置される複数のピン体を有し、各ピン体を各貫通穴からセル内に挿入して苗を突き上げる苗抜き具であって、筒状に形成された器具本体と、器具本体の上面に形成されていて、筒内外を連通するとともに筒心方向に延びるガイド溝と、上端が器具本体から突出した状態で器具本体の筒心方向移動自在にガイド溝に収容されるピン体、および該ピン体の下部に延設されて器具本体の筒内に収容される基皿部から成る突上げ用ピンと、器具本体に配備されて突上げ用ピンを筒心方向位置可変に固定する固定手段とを具備して成るものである。
【０００８】
また、前記構成において、育苗トレーに碁盤目状に配列されたセルの行数または列数と同数の突上げ用ピンを備えているものである。
【発明の効果】
【０００９】
本発明に係る苗抜き具によれば、複数の突上げ用ピンが器具本体のガイド溝に沿って移動自在となっているので、育苗トレーに一連に配列された複数のセルの貫通穴の離間ピッチに合わせて、複数の突上げ用ピンを配置することができる。そして、貫通穴の離間ピッチで配置された複数の突上げ用ピンは固定手段により位置固定されるので、一連の貫通穴にそれぞれピン体を一度に挿入して苗抜き出し作業を行なうことができる。従って、貫通穴の離間ピッチが異なる育苗トレーに対しても、その離間ピッチに合わせて突上げ用ピンの配置ピッチを変えられるので、１台の苗抜き具で多種類の育苗トレーの苗抜き出し作業ができる。
【００１０】
また、育苗トレーに碁盤目状に配列されたセルの行数と同数または列数と同数の突上げ用ピンを備えているものでは、突上げ用ピンを各セルの貫通穴の配置ピッチと同じピッチで離間して器具本体に固定することにより、１行分または１列分の全ての貫通穴から苗抜き具の複数のピン体を同時に挿入することができる。これにより、１回の突き上げ操作で１行分または１列分の全てのセルから苗を抜き出すことができる。
【図面の簡単な説明】
【００１１】
【図１】本発明の一実施形態に係る苗抜き具の外観図である。
【図２】図１におけるＢ−Ｂ線矢視断面図である。
【図３】図２におけるＡ−Ａ線矢視断面図である。
【図４】前記苗抜き具が適用される育苗トレーの平面図である。
【図５】前記苗抜き具の分解斜視図である。
【図６】前記苗抜き具の使用態様を示す一部断面および省略を含む側面図である。
【図７】本発明の別の実施形態に係る苗抜き具の正断面図である。
【図８】一般的な育苗トレーと従来の苗抜き具を示す斜視図である。
【発明を実施するための形態】
【００１２】
本発明の実施形態を図面に基づいて説明する。尚、以下に述べる実施形態は本発明を具体化した一例に過ぎず、本発明の技術的範囲を限定するものでない。図１は本発明の一実施形態に係る苗抜き具の外観図、図２は図１におけるＢ−Ｂ線矢視断面図、図３は図２におけるＡ−Ａ線矢視断面図である。
各図において、この実施形態に係る苗抜き具１は、筒状に形成された器具本体２と、器具本体２の両端開口を蓋止するキャップ１８と、竪円柱状に形成されたピン体１２およびピン体１２の下部に一体に延設された円盤状の基皿部１３から成る突上げ用ピン１１と、器具本体２の筒内に装入される長尺板状の支持板１７と、六角ボルト１５とから構成されている。六角ボルト１５の末端には、図外の六角レンチが差し込まれる六角穴１６が形成されている。
【００１３】
上記の器具本体２は筒心Ｃ方向に見て略正方形状に形成されていて、その上部にはその長手方向に貫通する筒内空間１０が形成されている。器具本体２の両端面の中央部には係止用穴８がそれぞれ形成され、両端面の四隅には４つの係止用穴４，４，４，４がそれぞれ形成されている。そして、器具本体２の上面には、筒内空間１０と筒外空間２１とを連通するとともに筒心Ｃ方向に延びるガイド溝７が形成されている。ガイド溝７の両側は対向突片５，５となっており、これら対向突片５，５の対向面６，６間の距離がガイド溝７の溝幅Ｅである。この溝幅Ｅは突上げ用ピン１１のピン体１２の外径Ｄよりも広く、基皿部１３の外径Ｆよりも狭くなるように設定されている。
そして、突上げ用ピン１１のピン体１２はその上端が器具本体２から突出した状態でガイド溝７内に収容され、基皿部１３は筒内空間１０内に収容される。突上げ用ピン１１は例えば育苗トレー２５の列ｎの数と同じ１６個を用いる。
【００１４】
器具本体２には上下方向に貫通する雌ネジ穴９が形成されている。器具本体２における雌ネジ穴９の下方位置には、雌ネジ穴９よりも大径の縦穴１４が形成されている。縦穴１４を通された六角ボルト１５は雌ネジ穴９に螺合する。これらの雌ネジ穴９および縦穴１４は器具本体２の筒心Ｃ方向に適宜の間隔で数箇所（この例では７箇所）形成されている。器具本体２の両端部には、片面に中央の脚部１９と四隅の脚部２０，２０，２０，２０を有するキャップ１８が装着される。これらのキャップ１８は、脚部１９が器具本体２の係止用穴８に挿入係止され、脚部２０，２０，２０，２０が器具本体２の係止用穴４，４，４，４に挿入係止される。器具本体２の筒内空間１０内には、器具本体２の長手寸法よりもやや短い支持板１７が突上げ用ピン１１，１１，１１，・・・の下方位置に装入される。六角ボルト１５の上端は支持板１７の下面に接して支持板１７を支持する。
【００１５】
本実施形態の苗抜き具１が使用される育苗トレー２５は、図４に示すように、複数のセル２６，２６，２６，・・・がｍ行ｎ列（この例ではｍ＝８、ｎ＝１６）の碁盤目状に一体に形成されたものであり、例えばポリエチレンなどを原材料として金型成型により製造される。各セル２６の平面形状は特に限定されないが、本実施形態では例えば正方形状にしてある。各セル２６の平面形状は、例えば円形、楕円形、長円形、六角形などにしても構わない。そして、各セル２６の底面には通水用の貫通穴２７がそれぞれ形成されている。セル２６，２６，２６，・・・の貫通穴２７，２７，２７，・・・は、列ｎ方向（図５中の矢印Ｑ方向）にピッチＰ１ずつ離間して配置されており、行ｍ方向（列ｎ方向と直角の方向）にピッチＰ２ずつ離間して配置されている。この例において、ピッチＰ１とピッチＰ２は同じ距離に設定されているが、これらのピッチＰ１，Ｐ２は異なっていても構わない。この育苗トレー２５では、セル２６に育苗用の土Ｔが収容され、土Ｔにパンジー、レタス、ネギなどの種が播かれたのち、発芽、発根が待たれる。但し、種の替わりに小苗をセル２６中の土Ｔに植えても構わない。
【００１６】
ここで、上記した苗抜き具１の組立て態様を図５を併用して説明する。この苗抜き具１では、育苗トレー２５に行方向（矢印Ｑ方向）に一連に配列されたセル２６，２６，２６，・・・の列ｎ数と同じ、例えば１６個の突上げ用ピン１１，１１，１１，・・・が使用される。まず、器具本体２の一端側の筒開口にキャップ１８の脚部１９，２０，２０，２０，２０が挿入されて蓋止される。その状態で、他端側の筒開口から筒内空間１０に支持板１７が装入される。続いて、１６個の突上げ用ピン１１，１１，１１，・・・も、それらのピン体１２がガイド溝７を通され基皿部１３が支持板１７の上方位置の筒内空間１０内に収容されることにより器具本体２に装着される。この状態で、他端側の筒開口に別のキャップ１８の脚部１９，２０，２０，２０，２０が挿入されて蓋止される。そして、六角ボルト１５，１５，１５，・・・が縦穴１４から挿入されて雌ネジ穴９に螺合する。更に、六角穴１６に六角レンチ（図示省略）を差し込んで六角ボルト１５を回し上向きに螺進させると、六角ボルト１５の上端面が支持板１７を押し上げる。
【００１７】
このとき、突上げ用ピン１１，１１，１１，・・・は固定されていないから、筒心Ｃ方向に移動自由である。そこで、天地反転させた空の育苗トレー２５に対し、その上方位置から列ｎ方向一連のセル２６，２６，２６，・・・（１６個）の貫通穴２７，２７，２７，・・・に苗抜き具１をあてがい、それぞれの貫通穴２７の位置に合わせるように個々の突上げ用ピン１１をガイド溝７に沿わせて移動させる。そして、全ての突上げ用ピン１１，１１，１１，・・・が各セル２６の貫通穴２７の配置ピッチＰ１と同じピッチで離間する位置となるようにそれぞれを位置決めする。そこで、適宜位置の六角ボルト１５，１５，１５，・・・から徐々に締め付けていき、全ての突上げ用ピン１１，１１，１１，・・・が対向突片５，５と支持板１７との間に極力均等な力で挟持されるようにする。これにより、突上げ用ピン１１の基皿部１３が支持板１７の上面と対向突片５，５の下面とにより挟持され、突上げ用ピン１１，１１，１１，・・・が筒心Ｃ方向に位置決め固定される。すなわち、支持板１７と、器具本体２の雌ネジ穴９と、六角ボルト１５とから成る構成が、突上げ用ピン１１，１１，１１，・・・を筒心Ｃ方向に位置可変に固定する固定手段２２である。
【００１８】
一方、育苗トレー２５の各セル２６中で、種から発芽、発根して生じた苗Ｎがある程度育った頃合に、苗Ｎが土Ｔ付きで各セル２６から取り出される。その際には、前記のように組み立てられた苗抜き具１が使用される。すなわち、図６に示すように、各突上げ用ピン１１のピン体１２が各貫通穴２７からセル２６内に挿入されて土Ｔ付きの苗Ｎを矢印Ｕ方向に突き上げる。これにより、一度に列ｎ方向全ての１６個のセル２６，２６，２６，・・・から土Ｔ付きの苗Ｎ，Ｎ，Ｎ，・・・が抜き出される。１行目の苗抜き出し作業が終わると、２行目，３行目，・・・と、順に行ｍの回数分（ここでは８回）突上げ動作が行なわれ、全体のセル２６，２６，２６，・・・から土Ｔ付きの苗Ｎ，Ｎ，Ｎ，・・・が抜き出されるのである。
【００１９】
以上説明したように、この実施形態に係る苗抜き具１によれば、１６個の突上げ用ピン１１，１１１１，・・・が器具本体２のガイド溝７に沿って移動自在となっているので、育苗トレーに一連に配列された複数のセル２６，２６，２６，・・・の貫通穴２７，２７，２７，・・・の離間ピッチＰ１に合わせて、突上げ用ピン１１，１１，１１，・・・を離間配置することができる。そして、前記ピッチＰ１で配置された１６個の突上げ用ピン１１，１１，１１，・・・は六角ボルト１５，１５，１５，・・・および支持板１７により固定されるので、一連の貫通穴２７，２７，２７，・・・に対しそれぞれピン体１２，１２，１２，・・・を挿入して苗抜き出し作業を行なうことができる。すなわち、異なるメーカー品の育苗トレーのように貫通穴２６，２６間の配置ピッチＰ１またはＰ２が異なるものであっても、ピン体１２，１２間のピッチを変えて貫通穴２６，２６間の配置ピッチＰ１またはＰ２に合せることができる。従って、貫通穴２６，２６間の配置ピッチＰ１またはＰ２が異なる複数種の育苗トレー２５に対し、従来技術のようにそれぞれ専用の苗抜き具５１（図８参照）を個々に用意しておく必要がなく、１台の苗抜き具１で多くの種類の育苗トレー２５から土Ｔ付き苗Ｎの抜き出しを行なうことができる。
【００２０】
また、この苗抜き具１は、いずれも簡素な、器具本体２、突上げ用ピン１１、六角ボルト１５、および支持板１７で構成されているので、簡単に製作でき、安価に提供することができる。因みに、従来の苗抜き具５１が比較的高価であることにもよるが、本実施形態の苗抜き具１は苗抜き具５１と比べて１０分の１程度の安価なコストで提供され得る。このように安価なことから、この苗抜き具１を各農家で１軒に１台は保有することができ、保管スペースもほとんど必要としない。
【００２１】
尚、上記の実施形態では、育苗トレー２５の列ｎ方向（矢印Ｑ方向）の１列分の突上げ用ピン１１（１６個）を備えるとともに列ｎ方向の貫通穴２７の配置ピッチＰ１と同じ離間ピッチで突上げ用ピン１１を器具本体２に配置した例を示したが、行ｍ方向１列分（８個）の突上げ用ピン１１を備えるとともに行ｍ方向の貫通穴２７の配置ピッチＰ２と同じ離間ピッチで突上げ用ピン１１を器具本体２に配置して使用することも可能である。
【００２２】
また、上記では複数の突上げ用ピン１１を１列に配置した苗抜き具１を例示したが、本発明はそれに限らない。例えば、図７に示す苗抜き具１ａも本発明に含まれる。この苗抜き具１ａは、苗抜き具１と同様の構成を２つ持ち、２つの器具本体２，２をガイド溝７の長手方向と直角の方向に併設した器具本体２ａを備えている。この器具本体２ａも市販のアルミニウム製枠材を利用することができる。２つのガイド溝７，７間の離間ピッチは例えば行ｍ方向の貫通穴２７の配置ピッチＰ２と同じであり、ガイド溝７および筒内空間１０は列ｎと同数の突上げ用ピン１１，１１，１１，・・・を収容可能である。
この苗抜き具１ａによれば、一度に２行分（３２個）のセル２６，２６，２６，・・・から土Ｔ付きの苗Ｎ，Ｎ，Ｎ，・・・を突き上げて抜き出すことができる。尚、前記の苗抜き具１ａでは２行分のガイド溝７，７を有するものを例示したが、３行分以上のガイド溝を有するものも本発明に含まれる。
【符号の説明】
【００２３】
１，１ａ  苗抜き具
２，２ａ  器具本体
５    対向突片
７    ガイド溝
９    雌ネジ穴
１０  筒内空間
１１  突上げ用ピン
１２  ピン体
１３  基皿部
１４  縦穴
１５  六角ボルト
１７  支持板
２１  筒外空間
２２  固定手段
２５  育苗トレー
２６  セル
２７  貫通穴
Ｃ  筒心
Ｎ  苗
Ｐ１，Ｐ２  ピッチ
Ｑ  矢印
Ｔ  用土
Ｕ  矢印
ｍ  行
ｎ  列
【図１】
2011036178.tif 000003
【図２】
2011036178.tif 000004
【図３】
2011036178.tif 000005
【図４】
2011036178.tif 000006
【図５】
2011036178.tif 000007
【図６】
2011036178.tif 000008
【図７】
2011036178.tif 000009
【図８】
2011036178.tif 000010